(57)【要約】      （修正有）【課題】膝の上に置いて使用するときに、片手で押えなくともノートパソコンを安定的に置いておくことができるノートパソコンを提供する。【解決手段】ノートパソコン３の本体５の左右両側からそれぞれ外方に延びる一対の連結部９、９と、各連結部９に形成された挿通孔２５とを首掛け支持機構として備える。スイベルフック３５が取り付けられたベルト３３を挿通孔２５に通して連結すれば、ベルト３３がループ状になるので、これを作業者の首Ｎに掛ければ、ノートパソコン３をベルト３３で首掛け支持した状態となり、椅子に座ってノートパソコン３を膝Ｋに置いたときに、安定的に支持される。従って、少々揺れるような移動車両中でも、両手でパソコン操作ができる。【選択図】図１
0003198243.tif 000002
【実用新案登録請求の範囲】
【請求項１】
ノートパソコンの本体の左右両側からそれぞれ外方に延びる一対の連結部と、各連結部に形成され、ベルトが連結可能な挿通孔とを首掛け支持機構として備え、ノートパソコンに首掛け用のベルトで着脱自在に連結できることを特徴とする首掛け支持機構を備えたノートパソコン。
【請求項２】
請求項１に記載した首掛け支持機構を備えたノートパソコンにおいて、
連結部が本体側から外方に向かって進退移動自在になっていることを特徴とする首掛け支持機構を備えたノートパソコン。
【請求項３】
請求項２に記載した首掛け支持機構を備えたノートパソコンにおいて、
連結部は、本体に埋め込まれたガイド部と、前記ガイドに摺動可能に連結され、一部が前記本体の外面側に露出したスライダー部とで構成されており、
前記スライダー部の露出した面を指操作して摺動させることにより進退移動自在になっていることを特徴とする首掛け支持機構を備えたノートパソコン。
【請求項４】
請求項３に記載した首掛け支持機構を備えたノートパソコンにおいて、
本体の裏面にスライダー部が露出しており、前記スライダー部は左右横面または背面側から外方に引出し可能になっていることを特徴とする首掛け支持機構を備えたノートパソコン。
【請求項５】
請求項１から４のいずれかに記載した首掛け支持機構を備えたノートパソコンにおいて、
スイベルフック付きの首掛け用ベルトを備えており、前記ベルトのスイベルフックに挿通孔を通すことで、ノートパソコンと前記ベルトを連結させることを特徴とする首掛け支持機構を備えたノートパソコン。
【考案の詳細な説明】
【技術分野】
【０００１】
本考案は首掛け支持機構を備えたノートパソコンに関するものである。
【背景技術】
【０００２】
最近広く普及しているノート型パソコン、略してノートパソコンは、軽量化やコンパクト化が進んでおり、持ち運びが容易で、バッテリー等の問題をクリアすれば使用場所の制限も少ないことから、事業所や一般家庭だけでなく、移動車両内や屋外でも使用される等、利用場所が多様化されている。
また、プライベートだけでなく、ビジネス用の場合でも、ノートパソコンを共用せず各自に専用のものが支給されるケースが多くなっている。
【０００３】
このような状況に応えて、ノートパソコンを周辺機器と一緒に持ち運べるよう、特許文献１に示すようなパソコン用バッグが提案されている。このパソコン用バッグでは、ノートパソコンの収納及び取り出しが容易になっており、バッグも型崩れし難いよう工夫されている。
【先行技術文献】
【特許文献】
【０００４】
【特許文献１】特開２００８−１７８４９４号公報
【考案の概要】
【考案が解決しようとする課題】
【０００５】
上記のようにどこでもノートパソコンを利用するのが普通になってくると、電車やバス等の移動車両に乗って移動している途中でも、思い出したり思い付いたりしたときするメモ書きもノートパソコンを利用して行いたい。
而して、ノートパソコンは机やテーブルに置いて使用することが想定されており、電車やバス等の移動車両に乗っているときに使用する場合には膝の上に置くことになるが、走行中には、ガタンガタンという比較的規則正しいリズムで縦揺れを常時受けるだけでなく、カーブを通過する際には突然大きく不規則に横揺れも受けるので、ノートパソコンを膝から落ちないように片手で常時押える必要があり、負担の大きい片手操作を余儀なくされる。
【０００６】
本考案は上記従来の問題に着目して為されたものであり、膝の上に置いたときに、片手で押えなくともノートパソコンを安定的に置いておくことができる、新規且つ有用な首掛け支持機構を備えたノートパソコンを提供することを、その目的とする。
【課題を解決するための手段】
【０００７】
本考案者は、首を利用してノートパソコンを支持させることを思い付き、本考案を完成するに至った。
本考案は上記課題を解決するためになされたものであり、請求項１の考案は、ノートパソコンの本体の左右両側からそれぞれ外方に延びる一対の連結部と、各連結部に形成され、ベルトが連結可能な挿通孔とを首掛け支持機構として備え、ノートパソコンに首掛け用のベルトで着脱自在に連結できることを特徴とする首掛け支持機構を備えたノートパソコンである。
【０００８】
請求項２の考案は、請求項１に記載した首掛け支持機構を備えたノートパソコンにおいて、連結部が本体側から外方に向かって進退移動自在になっていることを特徴とする首掛け支持機構を備えたノートパソコンである。
【０００９】
請求項３の考案は、請求項２に記載した首掛け支持機構を備えたノートパソコンにおいて、連結部は、本体に埋め込まれたガイド部と、前記ガイドに摺動可能に連結され、一部が前記本体の外面側に露出したスライダー部とで構成されており、前記スライダー部の露出した面を指操作して摺動させることにより進退移動自在になっていることを特徴とする首掛け支持機構を備えたノートパソコンである。
【００１０】
請求項４の考案は、請求項３に記載した首掛け支持機構を備えたノートパソコンにおいて、本体の裏面にスライダー部が露出しており、前記スライダー部は左右横面または背面側から外方に引出し可能になっていることを特徴とする首掛け支持機構を備えたノートパソコンである。
【００１１】
請求項５の考案は、請求項１から４のいずれかに記載した首掛け支持機構を備えたノートパソコンにおいて、スイベルフック付きの首掛け用ベルトを備えており、前記ベルトのスイベルフックに挿通孔を通すことで、ノートパソコンと前記ベルトを連結させることを特徴とする首掛け支持機構を備えたノートパソコンである。
【考案の効果】
【００１２】
本考案のノートパソコンによれば、首掛け支持機構を備えているので、膝の上に置いて使用するときに、片手で押えなくともノートパソコンを安定的に置いておくことができる。
従って、両手をキーボードの操作に使用できる。
【図面の簡単な説明】
【００１３】
【図１】本考案の第１の実施の形態に係る首掛け支持機構を備えたノートパソコンの使用状態の斜視図である。
【図２】図１の首掛け支持機構の斜視図である。
【図３】図１の首掛け支持機構の断面図および下面図である。
【図４】図１の首掛け支持機構の断面図および下面図である。
【図５】本考案の第２の実施の形態に係る首掛け支持機構を備えたノートパソコンの使用状態の斜視図である。
【図６】連結部の別例の下面図である。
【考案を実施するための形態】
【００１４】
本考案の第１の実施の形態に係る首掛け支持機構を備えたノートパソコン１について図面にしたがって説明する。
図１に示すように、ノートパソコン３は広く流通しているタイプで、パソコン本体５側にはキーボードや各種操作ボタンやトラックバッドが配置されている。このパソコン本体５の奥側上縁にはディスプレイユニット７が回動自在に支持されており、パソコン本体５に対した任意の角度で開けるようになっている。ディスプレイユニット７を閉じると、パソコン本体５側のキーボード等とディスプレイユニット７側の液晶表示部が対向した状態に重ね合され、外部からは遮蔽される。一方、ディスプレイユニット７を開くと、パソコン本体５側のキーボード等と、ディスプレイユニット７側の液晶表示部が表に現れて作業可能な状態となる。パソコン本体５の外側面には正面側と左右両側にそれぞれ接続端子口や吸排気口等が設けられている。
【００１５】
パソコン本体５には、一対の連結部９、９が設けられている。
図２に示すように、連結部９にはガイド部１１が備えられている。このガイド部１１のヘッド部１３は長方形の平板状になっており、対向する二つの長辺縁からそれぞれガイド壁１５、１５が垂下されている。各ガイド壁１５の内方は、対向側に向かって断面半球状に凹んだ凹曲面になっている。各ガイド壁１５には間隔をあけて二箇所止め凸部１７、１７が内方に張り出している。
【００１６】
ガイド部１１の相方となるスライダー部１９のベース部２１は長方形をしており、長手方向一端側は引出端２３が連設されている。この引出端２３は先端が丸くなった半円状をしており、円状の挿通孔２５が大きく相似状に形成されている。従って、引出端２３と挿通孔２５とで、リング状に見える。
ベース部２１の対向する二つの長辺縁からはそれぞれスライド壁２７、２７が立ち上がっている。このスライド壁２７は外方に向かって断面半球状に凹んだ凹曲面になっている。各スライド壁２７には止め凸部２９が間隔をあけて二箇所外方に張り出している。
【００１７】
組立状態では、ガイド部１１のガイド壁１５、１５内に、スライダー部１９のスライド壁２７、２７が差し込まれており、ガイド壁１５の凹曲面とスライド壁２７の凹曲面は相対して断面全球状の隙間ができている。
この隙間に複数の球３１、３１、３１……が一列に配置されており、この球３１の転がり運動により、ガイド部１１に対してスライダー部１９がスムーズに進退移動するようになっている。
複数の球３１、３１、３１……は、ガイド部１１側では止め凸部１７、１７の間に並び、スライダー部１９側では止め凸部２９、２９の間に並んでいる。従って、スライダー部１９はガイド部１１に対して、ガイド部１１側の止め凸部１７とスライダー部１９側の止め凸部２９との間で、球３１、３１、３１……が隙間なく収まる範囲を限界として移動できる。
【００１８】
図２の引出時は、スライダー部１９側の右側の止め凸部２９がガイド部１１の右側の止め凸部１７に向かって進行して、その距離が球３１、３１、３１……分だけになった状態を示す。これがスライダー部１９の最大引出時になっている。引出端２３が外方に全て引き出されて、挿通孔２５が利用可能となる。
一方、図２の収納時は、スライダー部１９側の左側の止め凸部２７がガイド部１１の左側の止め凸部１７に向かって進行して、その距離が球３１、３１、３１……分だけになった状態を示す。ガイド部１１内にスライダー部１９が完全に収まった状態となる。
ガイド壁１５の下面とスライダー部１９のベース部２１は略面一になっている。
【００１９】
図１、図３、図４に示すように、ノートパソコン３のパソコン本体５の外面のうち左側の横面５Ａと背面５Ｂの角隅部と、右側の横面５Ａと背面５Ｂの角隅部に連結部９、９がそれぞれ配置されている。
ノートパソコン３のパソコン本体５にガイド部１１が埋め込まれて固定されており、裏面５Ｃにはガイド部１１のガイド壁１５の上面が面一で露出している。また、左側に配されたガイド部１１のガイド壁１５の一端部は左面５Ａに面一で連なって開放されており、右側に配されたガイド部１１のガイド壁１５の一端部も右面５Ａに面一で連なって開放されている。
従って、スライダー部１９のベース部２１を指で押さえて動かすとパソコン本体５に対して進退移動して、パソコン本体５から左右外方に引出されたり、収納されたりする。
【００２０】
図１で符号３３はベルトを示し、このベルト３３の両端側にはスイベルフック３５、３５がそれぞれ取り付けられている。
パソコン本体５の左右両側にそれぞれ配された連結部９を引出端２３側から外方に引出し、挿通孔２５にスイベルフック３５を通して連結させる。引出端２３側はリング状になっているので、容易にスイベルフック３５を連結させることができる。左右両側の引出端２３の挿通孔２５にスイベルフック３５を通して連結させると、ベルト３３はパソコン本体５を介してループ状になる。
【００２１】
このループ状になったベルト３３を作業者の首Ｎに掛ければ、図１に示すように、ノートパソコン３をベルト３３で首掛け支持した状態となり、椅子に座ってノートパソコン３を膝Ｋに置いたときに、安定的に支持される。従って、走行中には、ガタンガタンという比較的規則正しいリズムで縦揺れを常時受けるだけでなく、カーブを通過する際には突然大きく不規則に横揺れも受けるような移動車両に乗っているときでも、両手でパソコン操作ができる。一方、ベルト３３を外して、連結部９をパソコン本体５側に収納させれば、出っ張りが無くなり、ぴったりした収納ケースにノートパソコン１を入れることができ、鞄に入れて携帯するにも都合が良い仕様となっている。
なお、図１では椅子は一般家庭で使用しているタイプが描かれているが、これは作業者が座っている状態を視認し易くするために、移動車両用の椅子に代えて描かれていることは理解されたい。
【００２２】
本考案の第２の実施の形態に係る首掛け支持機構を備えたノートパソコン３７について図面にしたがって説明する。
この実施の形態では、第１の実施の形態と同じ首掛け支持機構、すなわちガイドとスライダーを組み合わせたものが備えられている。
但し、ガイド部１１のガイド壁１５はパソコン本体５の背面５Ｂ側に連なっている。従って、連結部９、９のスライダー部１９は背面５Ｂ側に露出している。
左右の横面側には、接続端子口等が設けられていることから、連結部９の配置箇所を確保することが難しい場合もあるが、背面５Ｂ側は通常利用されていないので、連結部９の配置箇所を確保することができる。
【００２３】
以上、本考案の実施の形態について詳述してきたが、具体的構成は、この実施の形態に限られるものではなく、本考案の要旨を逸脱しない範囲における設計の変更などがあっても考案に含まれる。
例えば、上記の実施の形態では、挿通孔はいずれも長円形になっているが、図６に示すように、真円形の挿通孔２６にしてもよい。
【産業上の利用可能性】
【００２４】
本発明の首掛け支持機構は、パソコン本体側に簡単に設けることができる連結部で構成でき、予めベルトとセットでノートパソコンの販売時に提供すれば、ノートパソコンの膝上作業も可能とし、ノートパソコンの利用可能性を更に広げるものと期待される。
【符号の説明】
【００２５】
１…首掛け支持機構を備えたノートパソコン（第１の実施の形態）
３…ノートパソコン                  ５…パソコン本体
７…ディスプレイユニット            ９…連結部
１１…ガイド部                      １３…ヘッド部
１５…ガイド壁                      １７…止め凸部
１９…スライダー部                  ２１…ベース部
２３…引出端                        ２５、２６…挿通孔
２７…スライド壁                    ２９…止め凸部
３１…球
３３…ベルト                        ３５…スイベルフック
３７…首掛け支持機構を備えたノートパソコン（第２の実施の形態）
Ｋ…（作業者の）膝                  Ｎ…（作業者の）首
【図１】
0003198243.tif 000003
【図２】
0003198243.tif 000004
【図３】
0003198243.tif 000005
【図４】
0003198243.tif 000006
【図５】
0003198243.tif 000007
【図６】
0003198243.tif 000008
【手続補正書】
【提出日】平成27年4月15日(2015.4.15)
【手続補正１】
【補正対象書類名】実用新案登録請求の範囲
【補正対象項目名】請求項３
【補正方法】変更
【補正の内容】
【請求項３】
請求項２に記載した首掛け支持機構を備えたノートパソコンにおいて、
連結部は、本体に埋め込まれたガイド部と、前記ガイド部に摺動可能に連結され、一部が前記本体の外面側に露出したスライダー部とで構成されており、
前記スライダー部の露出した面を指操作して摺動させることにより進退移動自在になっていることを特徴とする首掛け支持機構を備えたノートパソコン。
【手続補正２】
【補正対象書類名】実用新案登録請求の範囲
【補正対象項目名】請求項５
【補正方法】変更
【補正の内容】
【請求項５】
請求項１から４のいずれかに記載した首掛け支持機構を備えたノートパソコンにおいて、
スイベルフック付きの首掛け用ベルトを備えており、前記ベルトのスイベルフックを挿通孔に通すことで、ノートパソコンと前記ベルトを連結させることを特徴とする首掛け支持機構を備えたノートパソコン。
【手続補正３】
【補正対象書類名】明細書
【補正対象項目名】０００９
【補正方法】変更
【補正の内容】
【０００９】
請求項３の考案は、請求項２に記載した首掛け支持機構を備えたノートパソコンにおいて、連結部は、本体に埋め込まれたガイド部と、前記ガイド部に摺動可能に連結され、一部が前記本体の外面側に露出したスライダー部とで構成されており、前記スライダー部の露出した面を指操作して摺動させることにより進退移動自在になっていることを特徴とする首掛け支持機構を備えたノートパソコンである。
【手続補正４】
【補正対象書類名】明細書
【補正対象項目名】００１１
【補正方法】変更
【補正の内容】
【００１１】
請求項５の考案は、請求項１から４のいずれかに記載した首掛け支持機構を備えたノートパソコンにおいて、スイベルフック付きの首掛け用ベルトを備えており、前記ベルトのスイベルフックを挿通孔に通すことで、ノートパソコンと前記ベルトを連結させることを特徴とする首掛け支持機構を備えたノートパソコンである。